(57)【要約】【課題】通信モジュールの仕様の特定に至るまでの時間の短縮化と通信端末の演算負荷の軽減を図る。【解決手段】通信端末１の起動時に通信モジュール５の仕様を判定するにあたり、中央演算部４は通信端末１の起動時に検出された通信モジュール５の信号線のパルス信号に基づき通信モジュール５の仕様を判定する。例えば、前記検出された特定の信号線のパルス信号が特定のパルス波形を示す場合に、通信モジュール５は特定の移動体通信業者の規格に準じた通信モジュール５Ｎである、と判定する。一方、前記検出された他の特定の信号線のパルス信号は特定のパルス波形を示す場合に、通信モジュール５は他の特定の移動体通信業者の規格に準じた通信モジュール５Ｋである、と判定する。【選択図】図２
2018018230.tif 000002
【特許請求の範囲】
【請求項１】
通信端末の通信モジュールの仕様を判定する通信モジュール判別装置であって、
通信端末の起動時に当該通信端末の通信モジュールの信号線のパルス信号を検出する検出処理部と、
前記検出されたパルス信号に基づき前記通信モジュールの仕様を判定する判定処理部と
を備えた通信モジュール判別装置。
【請求項２】
前記判定処理部は、前記検出された特定の信号線のパルス信号が特定のパルス波形を示す場合に、前記通信モジュールは特定の移動体通信業者の規格に準じた通信モジュールである、と判定する
請求項１に記載の通信モジュール判別装置。
【請求項３】
前記判定処理部は、前記検出された特定の信号線のパルス信号が特定のパルス波形を示す場合にコマンドを前記通信モジュールに供してこの通信モジュールから当該コマンドの応答を受けると、当該通信モジュールは特定の移動体通信業者の規格に準じた通信モジュールである、と判定する
請求項１に記載の通信モジュール判別装置。
【請求項４】
前記判定処理部は、前記コマンドの応答がない場合に前記検出処理部によって検出されている他の特定の信号線のパルス信号が特定のパルス波形を示すと、前記通信モジュールは他の特定の移動体通信業者の規格に準じた通信モジュールである、と判定する
請求項３に記載の通信モジュール判別装置。
【請求項５】
前記判定処理部は、前記コマンドの応答がない場合に前記検出処理部によって検出されている他の特定の信号線のパルス信号が特定のパルス波形を示す場合にコマンドを前記通信モジュールに供してこの通信モジュールから当該コマンドの応答を受けると、当該通信モジュールは他の特定の移動体通信業者の規格に準じた通信モジュールである、と判定する
請求項３に記載の通信モジュール判別装置。
【請求項６】
通信端末の通信モジュールの仕様を判定する中央演算部が実行する通信モジュール判別方法であって、通信端末の起動時に検出された通信モジュールの信号線のパルス信号に基づき当該通信モジュールの仕様を判定する通信モジュール判別方法。
【請求項７】
前記検出された特定の信号線のパルス信号が特定のパルス波形を示す場合に、前記通信モジュールは特定の移動体通信業者の規格に準じた通信モジュールである、と判定する請求項６に記載の通信モジュール判別方法。
【請求項８】
前記検出された特定の信号線のパルス信号が特定のパルス波形を示す場合にコマンドを前記通信モジュールに供してこの通信モジュールから当該コマンドの応答を受けると、当該通信モジュールは特定の移動体通信業者の規格に準じた通信モジュールである、と判定する請求項６に記載の通信モジュール判別方法。
【請求項９】
前記コマンドの応答がない場合に前記検出処理部によって検出されている他の特定の信号線のパルス信号が特定のパルス波形を示すと、前記通信モジュールは他の特定の移動体通信業者の規格に準じた通信モジュールである、と判定する請求項８に記載の通信モジュール判別方法。
【請求項１０】
前記コマンドの応答がない場合に前記検出処理部によって検出されている他の特定の信号線のパルス信号が特定のパルス波形を示す場合にコマンドを前記通信モジュールに供してこの通信モジュールから当該コマンドの応答を受けると、当該通信モジュールは他の特定の移動体通信業者の規格に準じた通信モジュールである、と判定する請求項８に記載の通信モジュール判別方法。
【請求項１１】
請求項１から５のいずれか１項に記載の通信モジュール判別装置の判定処理部としてコンピュータを機能させるプログラム。
【発明の詳細な説明】
【技術分野】
【０００１】
本発明は通信端末に実装された通信モジュールの仕様を判別する技術に関する。
【背景技術】
【０００２】
通信端末に実装された通信モジュールの仕様を判別するための技術として例えば特許文献１，２に開示された方法が知られている。特許文献１の方法においては、通信モジュールに対する所定のコマンドの送信とその応答に基づき当該通信モジュールは特定の移動体通信業者の規格に準じたものであると判断している。特許文献２の方法においては、通信モジュールに対するコマンド送信に基づくブレークシーケンスの検出によって当該通信モジュールの通信プロトコルの判別を行っている。
【先行技術文献】
【特許文献】
【０００３】
【特許文献１】特開２００６−２４５９５６号公報
【特許文献２】特開平５−２９２１４６号公報
【発明の概要】
【発明が解決しようとする課題】
【０００４】
コマンドを用いた従来の通信モジュールの仕様判別方式はその仕様の特定に至るまでに時間を要するばかりでなく常にコマンドの送信とその応答を行うことから通信端末の演算負荷となる。
【０００５】
本発明は、上記の事情に鑑み、通信モジュールの仕様の特定に至るまでの時間の短縮化と通信端末の演算負荷の軽減を図ることを課題とする。
【課題を解決するための手段】
【０００６】
そこで、本発明の通信モジュール判別装置は、通信端末の通信モジュールの仕様を判定する通信モジュール判別装置であって、通信端末の起動時に当該通信端末の通信モジュールの信号線のパルス信号を検出する検出処理部と、前記検出されたパルス信号に基づき前記通信モジュールの仕様を判定する判定処理部とを備える。
【０００７】
前記判定処理部の一態様は、前記検出された特定の信号線のパルス信号が特定のパルス波形を示す場合に、前記通信モジュールは特定の移動体通信業者の規格に準じた通信モジュールである、と判定する。
【０００８】
前記判定処理部の一態様は、前記検出された特定の信号線のパルス信号が特定のパルス波形を示す場合にコマンドを前記通信モジュールに供してこの通信モジュールから当該コマンドの応答を受けると、当該通信モジュールは特定の移動体通信業者の規格に準じた通信モジュールである、と判定する。
【０００９】
前記判定処理部の一態様は、前記コマンドの応答がない場合に前記検出処理部によって検出されている他の特定の信号線のパルス信号が特定のパルス波形をしていると、前記通信モジュールは他の特定の移動体通信業者の規格に準じた通信モジュールである、と判定する。
【００１０】
前記判定処理部の一態様は、前記コマンドの応答がない場合に前記検出処理部によって検出されている他の特定の信号線のパルス信号が特定のパルス波形を示す場合にコマンドを前記通信モジュールに供してこの通信モジュールから当該コマンドの応答を受けると、当該通信モジュールは他の特定の移動体通信業者の規格に準じた通信モジュールである、と判定する。
【００１１】
また、本発明の通信モジュール判別方法は、通信端末の通信モジュールの仕様を判定する中央演算部が実行する通信モジュール判別方法であって、通信端末の起動時に検出された通信モジュールの信号線のパルス信号に基づき当該通信モジュールの仕様を判定する。
【００１２】
前記判定の一態様は、前記検出された特定の信号線のパルス信号が特定のパルス波形を示す場合に、前記通信モジュールは特定の移動体通信業者の規格に準じた通信モジュールである、と判定する。
【００１３】
前記判定の一態様は、前記検出された特定の信号線のパルス信号が特定のパルス波形を示す場合にコマンドを前記通信モジュールに供してこの通信モジュールから当該コマンドの応答を受けると、当該通信モジュールは特定の移動体通信業者の規格に準じた通信モジュールである、と判定する。
【００１４】
前記判定の一態様は、前記コマンドの応答がない場合に前記検出処理部によって検出されている他の特定の信号線のパルス信号が特定のパルス波形を示すと、前記通信モジュールは他の特定の移動体通信業者の規格に準じた通信モジュールである、と判定する。
【００１５】
前記判定の一態様は、前記コマンドの応答がない場合に前記検出処理部によって検出されている他の特定の信号線のパルス信号が特定のパルス波形を示す場合にコマンドを前記通信モジュールに供してこの通信モジュールから当該コマンドの応答を受けると、当該通信モジュールは他の特定の移動体通信業者の規格に準じた通信モジュールである、と判定する。
【００１６】
尚、本発明の他の態様としては、上記の通信モジュール判別装置の判定処理部としてコンピュータを機能させるプログラム、若しくは、上記の通信モジュール判別方法をコンピュータに実行させるプログラムが挙げられる。
【発明の効果】
【００１７】
以上の本発明によれば通信モジュールの仕様の特定に至るまでの時間の短縮化と通信端末の演算負荷の軽減を図ることができる。
【図面の簡単な説明】
【００１８】
【図１】本発明の通信モジュール判別装置を実装した通信端末を有するネットワークシステムの一例を示したシステム構成図。
【図２】（ａ）特定の移動体通信業者の規格に準じた通信モジュールを備えた通信端末のブロック構成図、（ｂ）他の特定の移動体通信業者の規格に準じた通信モジュールを備えた通信端末のブロック構成図。
【図３】本発明の通信モジュール判別装置のブロック構成図。
【図４】（ａ）特定の移動体通信業者の規格に準じた通信モジュールの起動時における本発明の通信モジュール判別装置の動作フロー図、（ｂ）他の特定の移動体通信業者の規格に準じた通信モジュールの起動時における同通信モジュール判別装置の動作フロー図。
【図５】本発明の通信モジュール判別装置を実装した通信端末の起動時における通信モジュールの信号線のパルス波形を例示したパスル波形図。
【図６】本発明の実施形態における通信モジュールの仕様判定手順例を説明したフローチャート。
【図７】本発明の実施形態における通信モジュールの他の仕様判定手順例を説明したフローチャート。
【図８】同実施形態の通信モジュールの仕様判定時における当該通信モジュールの信号線のパルス波形を例示したパルス波形図。
【発明を実施するための形態】
【００１９】
以下に図面を参照しながら本発明の実施形態について説明する。
【００２０】
［本実施形態の概要とその装置の構成例］
図１に示されたネットワークシステムにおける通信端末１は、図２（ａ）（ｂ）に例示された通信端末１のように、中央演算部４、通信モジュール５Ｎ，５Ｋを備えており、通信網３を介してサーバ２とデータの送受信が可能となっている。
【００２１】
中央演算部４は、インターフェースコネクタ５１，ポート５２Ｎ，５２Ｋを介して通信モジュール５Ｎ，５Ｋを制御する。インターフェースコネクタ５１は中央演算部４が通信モジュール５Ｎ，５Ｋに対して制御信号を送信若しくは通信モジュール５Ｎ，５Ｋの信号線を参照するための信号線端子である。ポート５２Ｎ，５２Ｋは各々通信モジュール５Ｎ，５Ｋに供される所定のコマンド（例えば、ＡＴコマンド等のモデム制御コマンド）のインターフェースである。
【００２２】
そして、中央演算部４は、通信端末１の記憶領域（ＲＡＭ，ＲＯＭ等の揮発性記憶部，不揮発性記憶部等）に格納されたコンピュータのソフトウェア資源との挙動により図３に示された本実施形態の通信モジュール判別装置１０として機能する。
【００２３】
通信モジュール判別装置１０は、通信端末１の起動時に通信モジュール５Ｎ，５Ｋの信号線のパルス信号を検出する検出処理部１１と、前記検出されたパルス信号に基づき通信モジュール５Ｎ，５Ｋの仕様を判定する判定処理部１２とを備える。
【００２４】
［本実施形態の動作例］
以下に本実施形態の通信モジュール判別装置１０の具体的な動作例について説明する。
【００２５】
（一般的な通信モジュール判別装置１０の動作例）
図２（ａ）及び図４（ａ）を参照しながらキャリアＮの通信規格に準拠した通信モジュール５Ｎを備えた通信端末１の動作手順Ｓ１０１，Ｓ１０２について説明する。
【００２６】
Ｓ１０１：通信端末１の電源の起動に伴い通信モジュール５Ｎが起動すると、通信端末１の通信モジュール判別装置１０は通信モジュール５Ｎのインターフェースコネクタ５１を介して通信モジュール５Ｎの信号線（ＰＷＲ＿ＯＮ）の操作、信号線（ＰＳ＿ＨＯＬＤ）の参照、信号線（Ｍｏｄｅｍ Ｗａｋｅｕｐ）の操作、信号線（Ｍｏｄ＿ｒｅａｄｙ）の参照を行う。本ステップで検出される通信モジュール５Ｎの信号線のパルス波形は例えば図５（ａ）に示した波形となる。
【００２７】
Ｓ１０２：通信端末１の中央演算部４は、ポート５２Ｎを介して所定のコマンド（例えば、モデム制御コマンド）による設定を行う。
【００２８】
図２（ｂ）及び図４（ｂ）を参照しながらキャリアＫの通信規格に準拠した通信モジュール５Ｋを備えた通信端末１の動作手順Ｓ２０１，Ｓ２０２について説明する。
【００２９】
Ｓ２０１：通信端末１の電源の起動に伴い通信モジュール５Ｋが起動すると、通信端末１の通信モジュール判別装置１０は通信モジュール５Ｋのインターフェースコネクタ５１を介して通信モジュール５Ｋの信号線（ＰＷＲ＿ＯＮ）の操作、信号線（ＰＳ＿ＨＯＬＤ，ＣＴＳ）の参照を行う。本ステップで検出される通信モジュール５Ｋの信号線のパルス波形は例えば図５（ｂ）に示した波形となる。
【００３０】
Ｓ２０２：通信端末１の中央演算部４は、ポート５２Ｋを介して所定のコマンド（例えば、モデム制御コマンド）による設定を行う。
【００３１】
（通信モジュール５の仕様判定の態様例１）
図６を参照しながら通信モジュール５の仕様判定の動作例（手順Ｓ３０１〜Ｓ３０８）について説明する。
【００３２】
Ｓ３０１：通信端末１の電源の起動に伴い通信モジュール５が起動すると、通信端末１の通信モジュール判別装置１０は通信モジュール５のインターフェースコネクタ５１を介して通信モジュール５Ｎの信号線（ＰＷＲ＿ＯＮ）の操作、信号線（ＰＳ＿ＨＯＬＤ）の参照、信号線（Ｍｏｄｅｍ Ｗａｋｅｕｐ）の操作を行う。
【００３３】
Ｓ３０２：検出処理部１１は、通信モジュール５のインターフェースコネクタ５１を介して、図５に例示した通信モジュール５の信号線（Ｍｏｄ＿ｒｅａｄｙ）のＬｏｗからＨｉｇｈとなるパルス波形、信号線（ＣＴＳ）のＨｉｇｈからＬｏｗとなるパルス波形のいずれかの検出を待機する。
【００３４】
Ｓ３０３：前記いずれかのパルス波形が検出された場合はＳ３０４に移行する。一方、前記いずれのパルス波形も検出されない場合はＳ３０８に移行する。
【００３５】
Ｓ３０４：信号線（ＣＴＳ）のＨｉｇｈからＬｏｗとなるパルス波形が検出されている場合、判定処理部１２は、「通信モジュール５はキャリアＫの通信規格に準じた通信モジュール５Ｋである」と判断する。その後、Ｓ３０６に移行する。一方、信号線（ＣＴＳ）のＨｉｇｈからＬｏｗとなるパルス波形が検出されていない場合はＳ３０５に移行する。
【００３６】
Ｓ３０５：信号線（Ｍｏｄ＿ｒｅａｄｙ）のＬｏｗからＨｉｇｈとなるパルス波形が検出されている場合、判定処理部１２は、「通信モジュール５はキャリアＮの通信規格に準じた通信モジュール５Ｎである」と判断し、その後、Ｓ３０７に移行する。一方、信号線（Ｍｏｄ＿ｒｅａｄｙ）のＬｏｗからＨｉｇｈとなるパルス波形が検出されていない場合、Ｓ３０８に移行する。
【００３７】
Ｓ３０６：図２（ｂ）の通信端末１の中央演算部４は、ポート５２Ｋを介して所定のコマンド（例えば、モデム制御コマンド）による設定及び機種の判定を行う。
【００３８】
Ｓ３０７：図２（ａ）の通信端末１の中央演算部４は、ポート５２Ｎを介して所定のコマンド（例えば、モデム制御コマンド）による設定及び機種の判定を行う。
【００３９】
Ｓ３０８：判定処理部１２は「通信モジュール５Ｎ，５Ｋは未検出である」と判定する。
【００４０】
尚、以上のＳ３０１〜Ｓ３０８において、通信モジュール５Ｎ，５Ｋの未使用の信号線が不定状態とならないように通信端末１のハードウェア側で設定される。例えば、通信モジュール５Ｎの実装時に信号線（ＣＴＳ）のパルス波形が常時Ｈｉｇｈ状態となるように通信端末１のハードウェア側で設定される。同様に、通信モジュール５Ｋの実装時に信号線（Ｍｏｄ＿ｒｅａｄｙ）のパルス波形が常時Ｌｏｗ状態となるように通信端末１のハードウェア側で設定される。
【００４１】
（通信モジュール５の仕様判定の態様例２）
信号線（Ｍｏｄ＿ｒｅａｄｙ）、信号線（ＣＴＳ）の信号状態が不定状態となっている場合、通信モジュール５の誤検出が起こる（図８）。そこで、信号線（Ｍｏｄ＿ｒｅａｄｙ）、信号線（ＣＴＳ）のパルス波形を検出すると、送信コマンドの応答を受けて、信号線（Ｍｏｄ＿ｒｅａｄｙ）、信号線（ＣＴＳ）の信号状態を確認することにより、通信モジュール５の誤検出を防止する。
【００４２】
図７，図８を参照しながら通信モジュール５の誤検出を防止する仕様判定の動作例（手順Ｓ３０１〜Ｓ３１８）について説明する。尚、Ｓ３０１，Ｓ３０２の説明は省略する。
【００４３】
Ｓ３０３：前述のＳ３０２において、前記いずれかのパルス波形が検出された場合、Ｓ３０４に移行する。一方、前記いずれのパルス波形も検出されない場合、Ｓ３１８に移行する。
【００４４】
Ｓ３０４：信号線（ＣＴＳ）のＨｉｇｈからＬｏｗとなるパルス波形が検出されている場合、Ｓ３１１に移行する。一方、信号線（ＣＴＳ）のＨｉｇｈからＬｏｗとなるパルス波形が検出されていない場合、Ｓ３１３に移行する。
【００４５】
Ｓ３１１：判定処理部１２は、ポート５２Ｋを介して所定のコマンド（例えば、モデム制御コマンド）を通信モジュール５に供してこの通信モジュール５から当該コマンドの応答を待機する。
【００４６】
Ｓ３１２：判定処理部１２は、通信モジュール５から当該コマンドの応答を受けると、「通信モジュール５はキャリアＫの規格に準じた通信モジュール５Ｋである」と判定し、その後、Ｓ３１６に移行する。一方、前記応答がない場合、Ｓ３１３に移行する。
【００４７】
Ｓ３１３：信号線（Ｍｏｄ＿ｒｅａｄｙ）のＬｏｗからＨｉｇｈとなるパルス波形が検出されている場合、Ｓ３１４に移行する。一方、信号線（Ｍｏｄ＿ｒｅａｄｙ）のＬｏｗからＨｉｇｈとなるパルス波形が検出されていない場合はＳ３１８に移行する。
【００４８】
Ｓ３１４：判定処理部１２は、ポート５２Ｎを介して所定のコマンド（例えば、モデム制御コマンド）を通信モジュール５に供してこの通信モジュール５から当該コマンドの応答を待機する。
【００４９】
Ｓ３１５：判定処理部１２は、通信モジュール５から当該コマンドの応答を受けると、「通信モジュール５はキャリアＮの規格に準じた通信モジュール５Ｎである」と判定し、その後、Ｓ３１７に移行する。一方、前記応答がない場合、Ｓ３１８に移行する。
【００５０】
Ｓ３１６：図２（ｂ）の通信端末１の中央演算部４は、ポート５２Ｋを介して所定のコマンド（例えば、モデム制御コマンド）による設定及び機種の判定を行う。
【００５１】
Ｓ３１７：図２（ａ）の通信端末１の中央演算部４は、ポート５２Ｎを介して所定のコマンド（例えば、モデム制御コマンド）による設定及び機種の判定を行う。
【００５２】
Ｓ３１８：判定処理部１２は「通信モジュール５Ｎ，５Ｋは未検出である」と判定する。
【００５３】
［本実施形態の効果］
以上のように通信モジュール判別装置１０は、通信端末１の起動時に検出された通信モジュール５の信号線のパルス信号に基づき通信モジュール５の仕様を判定する。したがって、通信モジュール５の仕様の特定に至るまでコマンドの送受信を行う従来の通信モジュールの仕様判定方式に比べて、前記特定に至るまでの時間の短縮化と通信端末１の演算負荷の軽減を図ることができる。
【００５４】
特に、態様例１においては、通信端末１の起動時の当初からの通信モジュール５に対するコマンドの送信とその応答が不要となり（Ｓ３０３）、通信モジュール５の仕様の特定に至るまでの当該コマンドの送受信の負担を最低限に抑えることができる。また、特定の信号線のパルス波形を待機する割り込み処理が実行されるので（Ｓ３０２）、起動時の中央演算部４の演算負荷が大幅に軽減する。さらに、特定の信号線のパルス波形が未検出であると、コマンドの送受信を要することなく通信モジュール５が未検出であると判断されるので（Ｓ３０８）、通信モジュールの仕様判定時間が従来の通信モジュールの仕様判定方式と比べて短縮化される。例えば、従来の通信モジュールの仕様判定方式が４０秒であるのに対して３０秒まで短縮化される。
【００５５】
また、態様例２においては、検出されたパルス信号が特定の信号線のパルス波形を示している場合にコマンドを通信モジュール５に供して通信モジュール５から当該コマンドの応答を受けると通信モジュール５は特定の移動体通信業者の規格に準じた通信モジュールであると判定される（Ｓ３１１，Ｓ３１２，Ｓ３１６）。一方、前記コマンドの応答がない場合であっても検出処理部１１によって検出されている他の特定の信号線のパルス信号が特定のパルス波形を示している場合に通信モジュール５は他の特定の移動体通信業者の規格に準じた通信モジュールであると判定される。例えば、前記コマンドの応答がない場合に検出処理部１１によって検出されている他の特定の信号線のパルス信号が特定のパルス波形を示す場合にコマンドを通信モジュール５に供して通信モジュール５から当該コマンドの応答を受けると通信モジュール５は他の特定の移動体通信業者の規格に準じた通信モジュールであると判定される（Ｓ３１３〜Ｓ３１５，Ｓ３１７）。
【００５６】
したがって、態様例２によれば、態様例１の効果に加えて、前記特定の信号線が不定状態である場合でも通信モジュール５の誤検出を防止できる。特に、通信モジュール５Ｎの実装時に信号線（ＣＴＳ）が常時Ｈｉｇｈ状態となるように、通信モジュール５Ｋの実装時に信号線（Ｍｏｄ＿ｒｅａｄｙ）が常時Ｌｏｗ状態となるように通信端末１のハードウェア側で設定する必要がなくなる。よって、態様例１と比べて通信端末１のハードウェア構成の単純化が図られる。
【００５７】
［本発明の他の態様］
本発明は上述の通信モジュール判別装置１０の判定処理部１２としてコンピュータを機能させるプログラムまたは通信モジュール判別方法の手順Ｓ３０１〜Ｓ３０８，Ｓ３１１〜Ｓ３１８をコンピュータに実行させるプログラムの態様とすることもできる。これらのプログラムはコンピュータがアクセス可能なネットワークを介して提供でき、さらに、コンピュータが読取り可能な周知の記録媒体に格納して提供できる。そして、この記録媒体はその格納されたプログラムがコンピュータによって読み取られることにより上記実施形態の処理を実行できるので本発明を構成する。
【００５８】
尚、本発明は、以上の実施形態に限定されるものではなく、通信端末１のハードウェア構成などは特許請求の範囲内で変更して実施することができる。例えば、異なる移動体通信業者の通信規格に準じた複数の通信モジュールが着脱自在に通信端末に備えられて当該通信端末の起動時に個々の通信モジュールの仕様を判定する通信モジュール判別装置１０の態様とすることもでき、この態様も本発明を構成する。
【符号の説明】
【００５９】
１…通信端末
２…サーバ
３…通信網
４…中央演算部
５Ｎ，５Ｋ…通信モジュール
１０…通信モジュール判別装置、１１…検出処理部、１２…判定処理部
【図１】
2018018230.tif 000003
【図２】
2018018230.tif 000004
【図３】
2018018230.tif 000005
【図４】
2018018230.tif 000006
【図５】
2018018230.tif 000007
【図６】
2018018230.tif 000008
【図７】
2018018230.tif 000009
【図８】
2018018230.tif 000010